(57)【要約】【課題】取り付けおよび取り外しが容易であるとともに、吊り下げたハンガーが片寄ることのない物干し器具を提供することを課題とする。【解決手段】物干し器具１において、長軸方向に沿って複数の孔１１、１１・・・が形成されたベルト１０が、収納ケース２１に回転可能な状態で保持されているリール２３に巻き取られることで収納される。ベルト１０の一端にはフック３１が取り付けられ、収納ケース２１の外側にフック３２が取り付けられている。物干し器具１は、フック３１、フック３２を用いてベランダなどに設置され、ベルト１０が収納ケース２１から引き出された状態で使用される。ベルト１０は、ロック部材２５１と収納ケース２１の内壁とに挟み込まれることでロックされる。洗濯物が掛けられたハンガー４０は、収納ケース２１から引き出されたベルト１０の孔１１に通されることで、ベルト１０に吊り下げられる。【選択図】図４
2010011994.tif 000002
【特許請求の範囲】
【請求項１】
筺体と、
前記筺体の外部に形成され、前記筺体の移動を制限するための固定部と、
回転可能な状態で前記筺体の内部に収納された回転体と、
長軸方向に沿って複数の孔が形成され、一端側が前記回転体に巻き取られており、取付フックが形成された他端側が前記筺体の外部に引き出し可能な線状部材と、
前記筺体の外部に前記線状部材が引き出された状態において、引き出された前記線状部材の長さを保持する保持部と、
を備えることを特徴とする物干し器具。
【請求項２】
請求項１に記載の物干し器具において、
前記固定部は、前記筺体の外部に形成された固定フックであることを特徴とする物干し器具。
【請求項３】
請求項１または請求項２に記載の物干し器具において、
前記線状部材は、所定の幅を有するベルトであることを特徴とする物干し器具。
【請求項４】
請求項１または請求項２に記載の物干し器具において、
前記線状部材は、鎖であることを特徴とする物干し器具。
【請求項５】
請求項１ないし請求項４のいずれかに記載の物干し器具において、
前記複数の孔は、前記線状部材の前記長軸方向に沿って等間隔に形成されていることを特徴とする物干し器具。
【請求項６】
請求項１ないし請求項５のいずれかに記載の物干し器具において、さらに、
前記筺体から前記線状部材が引き出される際の前記回転体の回転に応じた弾性力を蓄積し、前記弾性力によって前記線状部材を巻き取る方向に前記回転体を回転させる駆動部、
を備えることを特徴とする物干し器具。
【請求項７】
請求項１ないし請求項６のいずれかに記載の物干し器具において、さらに、
前記引き出された前記線状部材の長さを保持するかどうかを前記保持部に指示する指示部、
を備え、
前記保持部は、
前記指示部が前記引き出された前記線状部材の長さの保持を指示している場合、前記線状部材の一部を前記筺体の内壁に押し当てる押圧部、
を含むことを特徴とする物干し器具。
【請求項８】
請求項６に記載の物干し器具において、さらに、
前記回転体が所定の回転位置に位置する場合、前記回転体の回転を抑制する回転抑制部、
を備えることを特徴とする物干し器具。
【発明の詳細な説明】
【技術分野】
【０００１】
本発明は、洗濯物の乾燥などに用いられる物干し器具に関する。
【背景技術】
【０００２】
洗濯物の乾燥では、通常、洗濯物を掛けたハンガーなどがベランダなどに設置された物干し竿に吊り下げられる。しかし、大量の洗濯物があり、物干し竿だけでは全ての洗濯物を干せないことがある。この場合、ベランダの空いたスペースにロープを架け渡し、架け渡したロープに洗濯物が掛けられたハンガーなどを吊り下げることがある。
【０００３】
しかし、洗濯物を干すたびにロープをベランダに架け渡すことは、ユーザにとって面倒である。一方、ロープをベランダに架け渡したままの状態にしておいた場合、ロープに汚れが付着するため、ロープの汚れが洗濯物に付着するおそれがある。
【０００４】
【特許文献１】特開２０００−３９２号公報
【発明の開示】
【発明が解決しようとする課題】
【０００５】
上記特許文献１には、ロープの架け渡しおよび取り外しが容易なリール装置が開示されている。特許文献１に係るリール装置において、ロープを巻き取るリールがケース内に収納されており、ケースの外側とロープの先端とにフックがそれぞれ取り付けられている。ベランダに予め取り付けられたフックに特許文献１に係るリール装置のフックを掛けることで、ユーザは、ベランダなどにロープを容易に架け渡すことができる。
【０００６】
しかしながら、特許文献１に係るリール装置を用いて洗濯物を掛けたハンガーを吊り下げた場合、ロープに吊り下げられたハンガーが風などで移動することがある。この結果、ロープに吊り下げられたハンガーが片寄ってしまい、ハンガーに掛けられた洗濯物が乾かなくなるおそれがあった。
【０００７】
そこで、本発明は前記問題点に鑑み、取り付けおよび取り外しが容易であるとともに、吊り下げたハンガーが片寄ることのない物干し器具を提供することを目的とする。
【課題を解決するための手段】
【０００８】
上記課題を解決するため、請求項１記載の発明は、筺体と、前記筺体の外部に形成され、前記筺体の移動を制限するための固定部と、回転可能な状態で前記筺体の内部に収納された回転体と、長軸方向に沿って複数の孔が形成され、一端側が前記回転体に巻き取られており、取付フックが形成された他端側が前記筺体の外部に引き出し可能な線状部材と、前記筺体の外部に前記線状部材が引き出された状態において、引き出された前記線状部材の長さを保持する保持部と、を備えることを特徴とする。
【０００９】
請求項２記載の発明は、請求項１に記載の物干し器具において、前記固定部は、前記筺体の外部に形成された固定フックであることを特徴とする。
【００１０】
請求項３記載の発明は、請求項１または請求項２に記載の物干し器具において、前記線状部材は、所定の幅を有するベルトであることを特徴とする。
【００１１】
請求項４記載の発明は、請求項１または請求項２に記載の物干し器具において、前記線状部材は、鎖であることを特徴とする。
【００１２】
請求項５記載の発明は、請求項１ないし請求項４のいずれかに記載の物干し器具において、前記複数の孔は、前記線状部材の前記長軸方向に沿って等間隔に形成されていることを特徴とする。
【００１３】
請求項６記載の発明は、請求項１ないし請求項５のいずれかに記載の物干し器具において、さらに、前記筺体から前記線状部材が引き出される際の前記回転体の回転に応じた弾性力を蓄積し、前記弾性力によって前記線状部材を巻き取る方向に前記回転体を回転させる駆動部、を備えることを特徴とする。
【００１４】
請求項７記載の発明は、請求項１ないし請求項６のいずれかに記載の物干し器具において、さらに、前記引き出された前記線状部材の長さを保持するかどうかを前記保持部に指示する指示部、を備え、前記保持部は、前記指示部が前記引き出された前記線状部材の長さの保持を指示している場合、前記線状部材の一部を前記筺体の内壁に押し当てる押圧部、を含むことを特徴とする。
【００１５】
請求項８記載の発明は、請求項６に記載の物干し器具において、さらに、前記回転体が所定の回転位置に位置する場合、前記回転体の回転を抑制する回転抑制部、を備えることを特徴とする。
【発明の効果】
【００１６】
本発明に係る物干し器具は、筐体の外部に第１のフックを設け、線状部材の他端に第２のフックを設けているため、ベランダなどに容易に取り付けることができる。また、本発明に係る物干し器具は、線状部材に形成された複数の孔にそれぞれハンガーのフックを掛けることによって、吊り下げられたハンガーが片寄ることを防止できる。
【００１７】
また、本発明に係る物干し器具は、線状部材を筐体の内壁に押し当てることによって、筐体の外部に引き出された線状部材の長さを維持する。これにより、線状部材に吊り下げられたハンガーなどの重みによって線状部材がたるむことを防ぐことができる。
【発明を実施するための最良の形態】
【００１８】
｛物干し器具の外観｝
以下、図面を参照しつつ本発明の実施の形態について説明する。図１は、ベルト１０が引き出された状態の物干し器具１の斜視図である。図２は、ベルト１０を収納した状態の物干し器具１の斜視図である。本実施の形態に係る物干し器具１は、ベルト１０と、収納部２０と、ベルトロックレバー３０と、フック３１、３２とを備えている。
【００１９】
ベルト１０は、洗濯物を掛けたハンガーなどを吊り下げる部材である。ベルト１０には、長軸方向に沿って複数の孔１１、１１・・・が等間隔に形成されている。孔１１、１１・・・には、ハンガーのフックなどが通される。孔１１、１１・・・のサイズは、ハンガーのフックなどを通すことができる程度の大きさであればよい。なお、ベルト１０の材質は、後述するリール２３に巻き取り可能な程度の柔軟性を有し、洗濯物などを吊り下げることで切断されることのない強度を有するものであれば、特に限定されるものではない。
【００２０】
収納部２０は、ベルト１０を収納するとともに、ベルト１０をロックする。ベルトロックレバー３０は、ユーザがベルト１０をロックするかどうかを指示するためのレバーである。ベルト１０のロック（ベルトロック状態）とは、収納部２０から引き出されたベルト１０を引き出された長さのままで保持することである。つまり、ベルトロック状態とは、ベルト１０の収納および引き出しができない状態を指す。一方、収納部２０から引き出されたベルト１０の長さの調節が可能な状態を、ベルト可動状態とする。
【００２１】
フック３１は、ベルト１０の一端に取り付けられ、フック３２は、収納部２０の外側に取り付けられている。フック３１、３２は、物干し器具１をベランダなどに取り付けるために用いられる。
【００２２】
物干し器具１は、収納部２０から引き出されたベルト１０がベランダなどに架け渡された状態で使用される。洗濯物が掛けられたハンガー４０は、孔１１、１１・・・にそれぞれ通されることで、収納部２０から引き出されたベルト１０に吊り下げられる。このため、物干し器具１は、ベルト１０に吊り下げられたハンガー４０の移動を制限して、ハンガー４０の片寄りを防止することができる。
【００２３】
｛収納部の構成｝
次に、収納部２０の構成について説明する。図３は、ベルト可動状態における物干し器具１の平面図である。図３では、収納部２０の内部の構成を示すために、蓋部２２を取り外した状態で示している。また、ベルトロックレバー３０は、図３の紙面奥側に配置されている。
【００２４】
収納部２０は、収納ケース２１と、蓋部２２と、リール２３と、渦巻きばね２４と、ロック部２５と、ストッパー２６とを備えている。収納ケース２１および蓋部２２は、樹脂製であり、収納部２０の筐体を構成する。収納ケース２１の内側には、リール回転軸２１ａ、ロック部材回転軸２１ｂ、ロックばね保持部２１ｃ、可動位置指定部２１ｄ、開口部２１ｅが形成されている。リール回転軸２１ａ、ロック部材回転軸２１ｂ、ロックばね保持部２１ｃは、図３の紙面から手前側に垂直方向に突出している。蓋部２２の内側には、ストッパー２６と衝突する位置に、突起部２２ａが形成されている。突起部２２ａが形成される位置を、図３において一点鎖線で示す。なお、突起部２２ａの数は、一つでもよいし、複数でもよい。
【００２５】
リール２３は、リール回転軸２１ａを中心に回転可能な状態で収納ケース２１に保持されている。ベルト１０は、リール２３に巻き取られることで収納部２０に収納される。ベルト１０の一端が開口部２１ｅから収納ケース２１の外部に引き出されており、ベルト１０の他端がリール２３に固定されている。なお、図３において、リール２３に巻き取られているベルト１０の表示を省略している。
【００２６】
渦巻きばね２４は、ベルト１０を巻き取る方向（図３において時計回りの方向）にリール２３を回転させる駆動部である。渦巻きばね２４は、収納部２０からベルト１０が引き出される際のリール２３の回転によって回転弾性力を蓄積し、蓄積した回転弾性力によってリール２３にベルト１０を巻き取らせる。渦巻きばね２４において、内側の端部２４ａがリール回転軸２１ａに固定され、外側の端部２４ｂがリール２３に固定されている。
【００２７】
ロック部２５は、ユーザのベルトロックレバー３０の操作に基づいてベルト１０をロックする。
【００２８】
ストッパー２６は、リール２３とともに回転し、リール２３が所定の回転位置に位置する際にリール２３の回転を抑制する。
【００２９】
｛ロック部の構成および動作｝
以下、ロック部２５について詳しく説明する。ロック部２５は、図３に示すように、ロック部材２５１と、ロックばね２５２とから構成される。ロック部材２５１は、楕円形状であり、ロック部材回転軸２１ｂを中心に回転可能な状態で収納ケース２１に取り付けられている。ロック部材２５１の一端には突起部２５１ａが形成されている。
【００３０】
ロックばね２５２は、ねじりコイルばねであり、ユーザのベルトロックレバー３０の操作に応じて、ロック部材２５１をベルト可動状態に応じた位置、またはベルトロック状態に応じた位置に固定する。ロックばね２５２の一端は、ロックばね保持部２１ｃに取り付けられており、他端はロック部材２５１の突起部２５１ａの近傍に取り付けられる。
【００３１】
次に、ベルト可動状態について説明する。ベルト可動状態において、ロックばね２５２が、図３における時計回りの方向に回転する力をロック部材２５１に加えている。ロック部材２５１は、突起部２５１ａが可動位置指定部２１ｄに押し当てられた状態で固定される。この状態では、ロック部材２５１がベルト１０に接触していないため、ユーザは、ベルト１０を収納部２０から引き出したり、引き出されたベルト１０を収納部２０に収納したりすることができる。
【００３２】
ユーザは、物干し器具１をベルトロック状態にする場合、ベルトロックレバー３０を操作して、図３における反時計まわりの方向にロック部材２５１を回転させる。これにより、物干し器具１は、図３に示すベルト可動状態から図４に示すベルトロック状態に変化する。図４は、ベルトロック状態における物干し器具１の平面図である。図３と同様に、図４は、蓋部２２が取り外された状態を示している。ベルトロックレバー３０は、図４の紙面奥側に配置されている。
【００３３】
図４に示すベルトロック状態において、ロックばね２５２が、図４における反時計回りの方向に回転する力をロック部材２５１に対して加えている。ロック部材２５１は、ベルト１０を収納ケース２１の内壁に押し当てた状態で固定されている。ベルト１０は、ロック部材２５１と収納ケース２１の内壁とに挟み込まれることでロックされる。したがって、ベルト１０またはリール２３にベルト１０をロックする構造を設ける必要がない。
【００３４】
また、ユーザは、図４に示す状態からベルトロックレバー３０を操作して、ロック部材２５１を図４における時計回りの方向に回転させることで、物干し器具１をベルトロック状態からベルト可動状態に変化させることができる。
【００３５】
｛ストッパーの構成および動作｝
図５は、図３および図４に示す領域Ａにおける収納部２０の部分拡大図である。図５に示すように、ストッパー２６は、回転抑制板２６１とばね２６２とから構成される。回転抑制板２６１は、リール２３に形成された抑制板回転軸２３ａを中心に回転可能な状態でリール２３に取り付けられている。ばね２６２は、Ｕ字状の形状であり、回転抑制板２６１を挟み込むようにしてリール２３に取り付けられている。
【００３６】
次に、ストッパー２６の動作について説明する。ストッパー２６は、リール回転軸２１ａを中心にリール２３と一体的に回転することで、蓋部２２の内側に設けられた突起部２２ａが回転抑制板２６１に衝突する。このとき、回転抑制板２６１には抑制板回転軸２３ａを中心に図５に示すＲ１方向に回転する力がはたらく。しかし、ばね２６２が回転抑制板２６１を挟み込んでいるため、回転抑制板２６１の回転が妨げられる。突起部２２ａと回転抑制板２６１との衝突状態が解消されず、リール２３の回転が抑制される。
【００３７】
しかし、リール２３は、所定の条件下において、突起部２２ａと回転抑制板２６１との衝突に関わらず回転を続ける。以下に、リール２３が回転を続ける条件について説明する。ベルト１０が引き出される方向（図５に示すＬ１方向）にリール２３が回転する場合、ユーザがフック３１などを引っ張ることでＬ１方向に回転する力がリール２３に継続的に加えられる。この結果、回転抑制板２６１にもＲ１方向に回転する力が継続的に加わるため、回転抑制板２６１は、ばね２６２の弾性力に逆らって抑制板回転軸２３ａを中心に回転する。
【００３８】
一方、リール２３がベルト１０を巻き取る方向（Ｌ１方向と反対方向）に回転する場合、回転抑制板２６１には、突起部２２ａと回転抑制板２６１との衝突のエネルギーによって、Ｒ１方向に回転する力がはたらく。つまり、リール２３が所定の回転速度以上で回転することにより、回転抑制板２６１は、ばね２６２の弾性力に逆らって抑制板回転軸２３ａを中心に回転する。
【００３９】
上述のように、所定の条件下において回転抑制板２６１と突起部２２ａとの衝突状態が解消され、リール２３は、リール回転軸２１ａを中心に回転を続けることができる。回転抑制板２６１は、突起部２２ａとの衝突状態が解消されると、ばね２６２の弾性力により図５に示す状態に戻る。
【００４０】
このように、ストッパー２６は、リール２３の回転を完全に阻止することでベルト１０をロックするものではない。ストッパー２６は、リール２３のベルト１０を巻き取る方向への回転を抑制することで、渦巻きばね２４によってベルト１０が自動的にリール２３に巻き取られることを防止する。
【００４１】
｛物干し器具の使用方法｝
以下、物干し器具１の使用方法について説明する。図６は、物干し器具１にハンガー４０を吊り下げた状態を示す模式図である。図６において、ベルト１０、孔１１、１１・・・、収納ケース２１などのサイズを誇張して示している。
【００４２】
まず、ユーザは、ベランダなどに物干し器具１を取り付ける。具体的には、ユーザは、物干し器具１をベルト可動状態にして、物干し器具１のフック３２をベランダの壁面などに設けられたフック４２に引っかける。ユーザは、フック３１を持ち、ベルト１０を収納部２０から引き出す。ベルト１０が収納部２０から引き出されることによって、リール２３が回転し、渦巻きばね２４に回転弾性力が蓄積される。
【００４３】
ユーザは、ベランダに設けられたフック４１にフック３１を掛ける。渦巻きばね２４がベルト１０を巻き取る方向にリール２３を回転させるために、収納部２０から引き出されたベルト１０は、たるみのない状態でベランダに架け渡される。ユーザは、ベルトロックレバー３０を操作して、物干し器具１をベルトロック状態にする。これにより、物干し器具１の取り付けが完了する。
【００４４】
物干し器具１の取り付け中に、ユーザが、ベルト１０またはフック３１から手を離すことがある。この場合、渦巻きばね２４に蓄積された回転弾性力によって、リール２３がベルト１０を巻き取る方向に回転を始める。しかし、リール２３が所定の回転速度以下で回転しているため、リール２３は、ストッパー２６の上述の機能により回転を停止する。したがって、物干し器具１の取り付け時に、ユーザがベルト１０の再度引き出すことを防止できる。
【００４５】
ユーザは、洗濯物が掛けられたハンガー４０の柄をベルト１０に形成された孔１１、１１・・・に通すことで、ハンガー４０を物干し器具１に吊り下げる。これにより、物干し器具１は、図６に示す状態となる。物干し器具１は、ベルトロック状態にあるため、洗濯物が掛けられたハンガー４０が吊り下げられても、ベルト１０をたるみのない状態に保ことができる。
【００４６】
また、ベルト１０に形成されている孔１１、１１・・・は、所定の間隔で形成されているため、ユーザは、容易に、衣類が掛けられたハンガー４０を片寄りなく吊り下げることができる。また、ハンガー４０の柄が孔１１に通されることで、物干し器具１に吊り下げられたハンガー４０は、風などによって片寄ることがない。このため、ハンガー４０に掛けられた洗濯物の乾燥を確実に行うことができる。
【００４７】
次に、物干し器具１を片付ける場合について説明する。ユーザは、ハンガー４０を物干し器具１から取り外し、ベルトロックレバー３０を操作して物干し器具１をベルト可動状態にする。ユーザがフック３１をフック４１から取り外すことで、ベルト１０は、渦巻きばねに蓄積された回転弾性力により回転するリール２３に巻き取られる。
【００４８】
ストッパー２６によりリール２３の回転が停止した場合、ユーザは、ベルト１０を収納部２０から引き出した後で、ベルト１０またはフック３１を離せばよい。これにより、突起部２２ａと回転抑制板２６１とは、リール２３が所定の回転速度以上で回転した状態で衝突する。この結果、リール２３は、ストッパー２６により回転を停止することなく、ベルト１０を巻き取ることができる。
【００４９】
以上説明したように、本実施の形態に係る物干し器具１は、ベルト１０をロック部材２５１と収納ケース２１の内壁との間に挟み込むことによってロックする。したがって、ベルト１０をロックする際に収納部２０から引き出すベルト１０の長さを、物干し器具１を取り付ける場所に応じて自由に調節することができる。また、ユーザは、フック３１、３２をベランダに取り付けられたフックなどにかけることで、物干し器具１を容易にベランダなどに取り付けることができる。
【００５０】
また、ハンガーのフックを通すための複数の孔１１、１１・・・をベルト１０に形成することにより、ユーザがハンガー４０を片寄りなく吊り下げることができるとともに、吊り下げられたハンガー４０が風などによって片寄ることを防止できる。
【００５１】
なお、本実施の形態において、物干し器具１がベルト１０を備える例について説明したが、これに限られない。たとえば、ベルト１０に代えて、チェーン、複数のリングを紐などでつなげたものなどを用いてもよい。つまり、物干し器具１は、リール２３に巻き取ることが可能であり、一定の間隔でハンガー４０のフックなどを通すことができる孔が形成されている線状部材を備えていればよい。
【００５２】
また、本実施の形態において、収納部２０の外側にフック３２が形成されている例について説明したが、これに限られない。たとえば、収納部２０の外側にちょうつがいが取り付けられていてもよい。あるいは、収納部２０の外側に、ねじ止め用の貫通孔が設けられていてもよい。収納部２０は、ねじ止めによってベランダなどの壁面に固定される。この場合、ユーザは、物干し器具１を使用するたびに収納部２０を固定する必要がないため、さらに容易に物干し器具１をベランダに架け渡すことができる。
【００５３】
また、本実施の形態では、ベルト１０が渦巻きばね２４によって自動的にリール２３に巻き取られる構成を例にして説明したが、これに限られない。渦巻きばね２４に代えてリール２３を回転させるハンドルを設け、ベルト１０を手動で巻き取る構成としてもよい。
【００５４】
また、本実施の形態では、ロック部２５によってベルト１０をロックする例について説明したが、これに限られない。たとえば、物干し器具１は、リール２３の回転を阻止することによってベルト１０をロックしてもよい。
【００５５】
また、本実施の形態では、ベルト１０に孔１１、１１・・・が等間隔で形成される例について説明したが、これに限られない。孔１１、１１・・・は、等間隔に形成されていなくてもよい。また、孔１１、１１・・・の形状は、円形に限られず、楕円形など、様々な形状の孔が並んでいてもよい。
【図面の簡単な説明】
【００５６】
【図１】本発明の実施の形態に係る物干し器具の斜視図である。
【図２】ベルトを収納した物干し器具の斜視図である。
【図３】ベルト可動状態における収納部の内部構成を示す図である。
【図４】ベルトロック状態における収納部の内部構成を示す図である。
【図５】ストッパーの拡大図である。
【図６】物干し器具の使用状態の一例を示す図である。
【符号の説明】
【００５７】
１  物干し器具
１０  ベルト
１１  孔
２０  収納部
２１  収納ケース
２２  蓋部
２３  リール
２４  渦巻きばね
２５  ロック部
２６  ストッパー
３０  ベルトロックレバー
３１、３２  フック
２５１  ロック部材
２５２  ロックばね
【図１】
2010011994.tif 000003
【図２】
2010011994.tif 000004
【図３】
2010011994.tif 000005
【図４】
2010011994.tif 000006
【図５】
2010011994.tif 000007
【図６】
2010011994.tif 000008